(57)【特許請求の範囲】
【請求項１】
メインミラーを保持するメインミラー保持枠と、
サブミラーを保持するとともに、前記メインミラー保持枠に軸支されるサブミラー保持枠と、
ミラーダウン位置において前記サブミラー保持枠と当接して前記サブミラーの角度を決定する受けピンと、を備えるミラー保持構造において、
前記サブミラー保持枠は、前記サブミラーと平行な面であって、前記ミラーダウン位置において前記受けピンと接触する第１当接部と、前記メインミラー保持枠に対する前記サブミラー保持枠の回転軸へ向くように前記第１当接部の面に対して傾斜した面であって、ミラーアップ位置から前記ミラーダウン位置へ移行する際における前記ミラーダウン位置よりも前の位置で前記受けピンと接触する第２当接部とを含む、前記サブミラーと垂直な方向へ解放された凹み形状を有すること
を特徴とするミラー保持構造。
【請求項２】
請求項１に記載のミラー保持構造において、
前記受けピンは、前記サブミラー保持枠の前記第１当接部と接触する部分と、前記サブミラー保持枠の前記第２当接部と接触する部分とが異なるように構成されていること
を特徴とするミラー保持構造。
【請求項３】
請求項１又は請求項２に記載のミラー保持構造において、
前記サブミラー保持枠の前記第１当接部は、前記ミラーダウン位置において、前記サブミラーを保持する位置よりも撮影レンズ側に位置すること
を特徴とするミラー保持構造。
【請求項４】
請求項１から請求項３のいずれか一項に記載のミラー保持構造において、
前記受けピンは、偏心ピンであること
を特徴とするミラー保持構造。
【請求項５】
請求項１から請求項４のいずれか一項に記載のミラー保持構造を備えるカメラ。
【発明の詳細な説明】
【技術分野】
【０００１】
本発明は、ミラー保持構造及びカメラに関するものである。
【背景技術】
【０００２】
従来、メインミラーを保持するメインミラー保持枠と、サブミラーを保持するとともに、メインミラー保持枠に軸支されるサブミラー保持枠と、ミラーダウン位置においてサブミラー保持枠と接触してサブミラーの角度を決定する受けピンと、を備えるミラー保持構造が存在する。このような従来のミラー保持構造においてサブミラーの角度は、サブミラーがミラーダウン位置に来たときにサブミラー保持枠の一部を受けピンと当接させることにより決定されている（例えば、特許文献１参照）。
【特許文献１】特開平９−２０３９７４号公報
【発明の開示】
【発明が解決しようとする課題】
【０００３】
しかし、従来のミラー保持構造は、サブミラーがミラーダウン位置に来ると、サブミラー保持枠が受けピンと衝突し、サブミラーがバウンドしてしまう。また、ミラーダウンを何度も行うと受けピンのサブミラー保持部と当接する箇所が削れてサブミラーのミラーダウン位置がずれてしまう。
【０００４】
本発明の課題は、サブミラーのバウンドを低減するとともに、ミラーダウンの位置ずれを防止することである。
【課題を解決するための手段】
【０００５】
請求項１に記載のミラー保持構造は、メインミラーを保持するメインミラー保持枠と、サブミラーを保持するとともに、前記メインミラー保持枠に軸支されるサブミラー保持枠と、ミラーダウン位置において前記サブミラー保持枠と当接して前記サブミラーの角度を決定する受けピンと、を備えるミラー保持構造において、前記サブミラー保持枠は、前記サブミラーと平行な面であって、前記ミラーダウン位置において前記受けピンと接触する第１当接部と、前記メインミラー保持枠に対する前記サブミラー保持枠の回転軸へ向くように前記第１当接部の面に対して傾斜した面であって、ミラーアップ位置から前記ミラーダウン位置へ移行する際における前記ミラーダウン位置よりも前の位置で前記受けピンと接触する第２当接部とを含む、前記サブミラーと垂直な方向へ解放された凹み形状を有することを特徴とする。
請求項２に記載のミラー保持構造は、請求項１に記載のミラー保持構造において、前記受けピンは、前記サブミラー保持枠の前記第１当接部と接触する部分と、前記サブミラー保持枠の前記第２当接部と接触する部分とが異なるように構成されていることを特徴とする。
請求項３に記載のミラー保持構造は、請求項１又は請求項２に記載のミラー保持構造において、前記サブミラー保持枠の前記第１当接部は、前記ミラーダウン位置において、前記サブミラーを保持する位置よりも撮影レンズ側に位置することを特徴とする。
請求項４に記載のミラー保持構造は、請求項１から請求項３のいずれか一項に記載のミラー保持構造において、前記受けピンは、偏心ピンであることを特徴とする。
請求項５に記載のカメラは、請求項１から請求項４のいずれか一項に記載のミラー保持構造を備える。
【発明の効果】
【０００７】
本発明によれば、サブミラーのバウンドを低減するとともに、ミラーダウンの位置ずれを防止することができる。
【発明を実施するための最良の形態】
【０００８】
以下、図面等を参照して、本発明の実施形態について説明する。図１は本実施形態のカメラ１０の断面図である。なお、図１において、説明と理解を容易にするために、ｘｙｚ直交座標系を設けた。この座標系では、撮影者が光軸Ａを水平として横長の画像を撮影する場合のカメラの位置（以下、通常の撮影位置という）において撮影者から見て左側に向かう方向をｘプラス方向とする。また、通常の撮影位置において上側に向かう方向をｙプラス方向とする。さらに、通常の撮影位置において被写体に向かう方向をｚプラス方向とする。
【０００９】
本実施形態のカメラ１０はデジタル一眼レフカメラであり、フレーム本体部１１、画像表示部１２、マウント部２０、ミラー保持機構部３０、ファインダ部４０、測距センサ部５０、シャッタ部６０及び撮像部７０を有している。
【００１０】
フレーム本体部１１は、カメラ１０の各部を固定するカメラ１０のメインフレームである。画像表示部１２は、カメラ１０の後部に設けられ、撮像部７０で撮影した被写体像や、操作に関連した情報、撮影した被写体像等を表示する液晶ディスプレイである。マウント部２０は、不図示の撮影レンズが着脱自在に装着される部分である。撮影レンズは被写体光が入射され、入射した被写体光をミラー保持機構部３０に出射するレンズ群である。撮影レンズは撮影目的に応じて交換可能であり、被写体像を拡大又は縮小するズーム式のレンズ群や、単焦点式のレンズ群を用いることができる。
【００１１】
ファインダ部４０は、ファインダスクリーン４１、ペンタダハプリズム４２及び接眼部４３を有している。ファインダスクリーン４１は、ミラー保持機構部３０の上方に配置されており、ミラー保持機構部３０が観察状態であるときに反射される被写体光を入射して結像するためのスクリーンである。ペンタダハプリズム４２はファインダスクリーン４１の上方に配置され、ファインダスクリーン４１によって結像された被写体光を接眼部４３へと出射する多角形のプリズムである。接眼部４３はペンタダハプリズム４２から出射された被写体光が入射する位置に配置された接眼光学系である。
【００１２】
測距センサ部５０は、ミラー保持機構部３０で反射した被写体光を入射して、カメラ１０の被写体との焦点を合わせるために設けられたセンサである。シャッタ部６０は、不図示の複数のシャッタ羽根群を備え、不図示のレリーズスイッチ等による撮影指示に応じてシャッタ羽根群を開閉させ、撮像部７０に被写体光を入射する。
【００１３】
撮像部７０は、シャッタ部６０を通過した被写体光が入射する位置に設けられている。撮像部７０はローパスフィルタ７１及び撮像素子７２を備えている。撮像素子７２は、ローパスフィルタ７１の後方に配置されたＣＣＤ（Ｃｈａｒｇｅ−Ｃｏｕｐｌｅｄ  Ｄｅｖｉｃｅ）であり、ローパスフィルタ７１を介して入射した被写体光を露光し、電気的な画像信号に変換して、不図示の画像処理部へ出力する。撮像素子７２としては、ＣＣＤに限られるものではなく、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を使用することも可能である。
【００１４】
ミラー保持機構部３０は、メインミラー１及びサブミラー３を有しており、マウント部２０に設けた撮影レンズの後部から出射される被写体光が入射する位置に設けられ、ファインダ部４０、測距センサ部５０、シャッタ部６０及び撮像部７０に被写体光を適切に入射させる機構である。
【００１５】
ミラー保持機構部３０は、メインミラー１を保持するメインミラー保持枠２と、サブミラー３を保持するサブミラー保持枠４とを備えている。メインミラー保持枠２に対してサブミラー保持枠４は光軸Ａの後側に位置しており、これによりサブミラー３はメインミラー１の後側に配置される。メインミラー１は被写体光をファインダ部４０へ反射させる反射ミラーである。メインミラー１の反射面の一部には光を透過させる半透過ミラー（図示省略）が設けられている。半透過ミラーは被写体光の一部を反射することなく、メインミラー１の後部へと透過させてその後部に設けられたサブミラー３に被写体光の一部を入射する。サブミラー３は、メインミラー１の半透過ミラーを透過した被写体光を測距センサ部５０へ反射させる反射ミラーである。
【００１６】
図１は、ミラー保持機構部３０がミラーダウン状態の場合を示す。メインミラー１は被写体光をファインダ部４０に反射してファインダ部４０で被写体が観察可能である。このとき、サブミラー３はメインミラー１から離れた状態でサブミラー３の後側に位置しており、被写体光の一部を測距センサ部５０へ反射する。この被写体光によって測距センサ部５０は被写体との焦点を合わせる。不図示のレリーズスイッチが押されるなどして撮影が実行されるときに、メインミラー保持枠２が図１における時計方向に回転してファインダ部４０側へと移動し、それと同時に、サブミラー保持枠４が時計方向に回転してメインミラー保持枠２と重なるように移動する。これにより、ミラー保持機構部３０が光軸Ａから退避し、ミラーアップ状態となる。ミラー保持機構部３０の後部に配置されるシャッタ部６０及び撮像部７０に被写体光が入射され、撮影が実行可能な状態となる。撮影終了後にはメインミラー保持枠２が反時計方向に回転し、さらにサブミラー保持枠４がメインミラー保持枠２から反時計方向に回転する。これにより、ミラー保持機構部３０は図１のミラーダウン状態に戻る。
【００１７】
以上のように、ミラーアップ状態とミラーダウン状態との間ではメインミラー１及びサブミラー３が回転する必要があり、メインミラー保持枠２はメイン支軸３１に回転可能に取り付けられている。一方、サブミラー保持枠４はサブ支軸３２に回転可能に取り付けられている。メイン支軸３１はフレーム本体部１１に取り付けられており、メインミラー保持枠２の上部を回転可能に支持している。サブ支軸３２はメインミラー保持枠２の中間部分に取り付けられており、サブミラー保持枠４の上部を回転可能に支持している。メインミラー保持枠２の時計方向への回転は、不図示のモータによって行われ、サブミラー保持枠４の時計方向への回転もモータによって行われる。
【００１８】
図２はミラーダウン状態のミラー保持機構部３０を示し、図３はミラーダウン状態へ移行する前の状態を示す。ミラーアップ状態からミラーダウン位置に復帰する反時計方向の回転はバネによって行われる。このため、メイン支軸３１にはコイルバネ等からなる不図示のリターンバネが設けられてメインミラー保持枠２を反時計方向に付勢している。また、メインミラー保持枠２とサブミラー保持枠４との間には、トグルバネ等の不図示のリターンバネが設けられてサブミラー保持枠４を反時計方向に付勢している。
【００１９】
ミラーダウン位置においては、メインミラー１及びサブミラー３を所定の角度で停止させる必要がある。このため、フレーム本体部１１にはストッパピン７及び受けピン６が配置される。ストッパピン７は、メインミラー保持枠２が当接することによりミラーダウン位置におけるメインミラー保持枠２の角度、すなわちメインミラー１の角度を決定する。受けピン６は、サブミラー保持枠４が当接することによりミラーダウン位置におけるサブミラー保持枠４の角度、すなわちサブミラー３の角度を決定する。
【００２０】
図２及び図３に示すように、サブミラー保持枠４には第１当接部４ａ及び第２当接部４ｂが形成されている。第１当接部４ａは、ミラーダウン位置において受けピン６と接触する面であり、第２当接部４ｂはミラーダウン位置に移行する以前に受けピン６と接触する面である。これらの当接部４ａ、４ｂは、サブミラー保持枠４の背面に凹部３３を形成し、凹部３３の底面に平面的な面を設けて形成されている。凹部３３は受けピン６側が開放された凹み状となっており、サブミラー保持枠４が時計方向に回転することにより、受けピン６は凹部３３における開放部分からサブミラー保持枠４に相対的に接近することができる。
【００２１】
第１当接部４ａは、サブミラー３と平行な面上に形成されている。また第１当接部４ａは、サブミラー３がサブミラー保持枠４に保持されている位置（図示省略）よりも撮影レンズ（マウント部２０）側に位置している。第２当接部４ｂは第１当接部４ａに一体的に、サブミラー３に対して、同ミラー３の回転中心（サブ支軸３２）を向く方向に傾いた面上に形成されている。
【００２２】
次に、本発明の実施形態におけるミラー保持機構部３０の作動を説明する。ミラーダウン状態に移行するとき、リターンバネによってメインミラー保持枠２が反時計方向に回転するとともに、サブミラー保持枠４もリターンバネによって反時計方向に回転する。サブミラー保持枠４の回転によって図３に示すように受けピン６が第２当接部４ｂと接触する。メインミラー保持枠２はさらに、時計方向に回転し、それに伴って、受けピン６は第２当接部４ｂの傾斜面に沿って摺動する。そして、メインミラー保持枠２がストッパピン７に当接すると、受けピン６も第１当接部４ａに当接し、メインミラー保持枠２及びサブミラー保持枠４の回転が停止する。これらの当接により、メインミラー保持枠２に保持されているメインミラー１の角度が決定するとともにサブミラー保持枠４に保持されているサブミラー３の角度が決定する。
【００２３】
以上、本実施形態によると以下の効果を有する。
（１）サブミラー保持枠４に形成される第１当接部４ａ及び第２当接部４ｂは立体構造とは異なった平面構造のため、構造が簡単であり、作製が容易で、精度良く形成することができ、しかも少ないスペースで形成することができる。
【００２４】
（２）サブミラー保持枠４は第２当接部４ｂが受けピン６に当接し、その後、第１当接部４ａが受けピン６に当接して停止する。このような２段階の当接では、受けピン６との当接による衝撃を小さくすることができ、耐久性が向上する。
【００２５】
（３）サブミラー保持枠４の第２当接部４ｂが傾斜面となっているため、受けピン６と当接する際の跳ね返り力が小さくなる。このためサブミラー保持枠４のバウンド量を小さくすることができる。
【００２６】
（４）図４（ａ）はサブミラー保持枠４が受けピン６と接触するポイント位置を示しており、第１当接部４ａではポイント４１で受けピン６と接触し、第２当接部４ｂではポイント４２で受けピン６と接触する。図４（ｂ）は受けピン６がサブミラー保持枠４と接触するポイントを示しており、ポイント６１が第１当接部４ａと当接し、ポイント６１から外れた箇所のポイント６２が第２当接部４ｂと当接する。従って、受けピン６ではポイント６１，６２の２箇所でサブミラー保持枠４と接触する。そして、まず第２当接部４ｂが受けピン６と接触する衝撃により慣性力がほとんど吸収される。その後のミラーダウン位置では第１当接部４ａが受けピン６と接触してサブミラー保持枠４が停止する。このため、ポイント４１及びポイント６１の衝撃が小さく、削れ量が少ない。以上により、撮影回数が多くなっても、サブミラー保持枠４すなわちサブミラー３の角度変化を少なくすることができる。
【００２７】
（５）サブミラー３のミラーダウン位置を決定する第１当接部４ａがサブミラー３と平行な面となっているため、サブミラー３の停止角度を調整することが容易である。
【００２８】
（６）第１当接部４ａがサブミラー３の保持位置よりも撮影レンズ側に位置しているため、他の部材の配置を余裕を持って行うことができる。すなわち、ダストリダクション等の配置によりミラー保持機構部３０と撮像部７０との間隔が狭くなっている構造であっても、第１当接部４ａを撮影レンズ側に位置させることにより、スペースを確保できるためである。
【００２９】
（変形形態）
以上、説明した実施形態に限定されることなく、以下に示すような種々の変形や変更が可能であり、それらも本発明の範囲内である。
（１）受けピン６を偏心ピンとすることができる。偏心ピンとすることにより、受けピン６を回転させてその位置を微調整することが可能となり、サブミラー３の位置をカメラ毎に調整することが可能となる。
（２）受けピン６をある程度太いピントすることができる。太いピンとすることにより、サブミラー保持枠４の当接に対する強度を大きくすることができる。また、第１当接部４ａ及び第２当接部４ｂと面接触に近い状態で当接することができるため、衝撃を多く吸収することができる。
なお、実施形態及び変形形態は、適宜組み合わせて用いることもできるが、詳細な説明は省略する。また、本発明は以上説明した実施形態によって限定されることはない。
【図面の簡単な説明】
【００３０】
【図１】本発明の一実施形態のミラー保持構造を組み込んだカメラを示す断面図である。
【図２】ミラー保持機構部のミラーダウン位置を示す側面図である。
【図３】ミラー保持機構部のミラーダウン位置よりも前の位置を示す側面図である。
【図４】（ａ），（ｂ）はサブミラー保持枠及び受けピンのそれぞれの接触ポイントを示す側面図である。
【符号の説明】
【００３１】
１：メインミラー、２：メインミラー保持枠、３：サブミラー、４：サブミラー保持枠、４ａ：第１当接部、４ｂ：第２当接部、６：受けピン、３０：ミラー保持機構部
【図１】
0005326295.tif 000002
【図２】
0005326295.tif 000003
【図３】
0005326295.tif 000004
【図４】
0005326295.tif 000005